(57)【要約】      （修正有）【課題】建築用廃棄物の排出量を減らすことができる仮設床構造を提供する。【解決手段】建築物のコンクリート床２は、予め形成された開口部３を備え、長尺部材からなる第１支持部材１０Ａ及び第２支持部材１０Ｂと、それらの上面に設置される第１仮床板２０Ａ、第２仮床板２０Ｂ、第３仮床板２０Ｃと、を備え、第１支持部材及び第２支持部材の各端部は、開口部に面する第１建築躯体４Ａに支持され、各他端部は第２建築躯体４Ｂに支持され、第１支持部材と第２支持部材は軸方向と直交する方向に間隔を空けて並べられる。【選択図】図１
0003235466.tif 000002
【実用新案登録請求の範囲】
【請求項１】
仮設床構造であって、
建築物のコンクリート床は、予め形成された開口部を備え、
長尺部材からなる第１支持部材及び第２支持部材と、
前記第１支持部材及び前記第２支持部材の上面に設置される仮床板と、
を備え、
前記第１支持部材及び前記第２支持部材の各第１端部は、前記開口部に面する第１建築躯体に支持され、
前記第１支持部材及び前記第２支持部材の各第２端部は、前記第１建築躯体に対向する第２建築躯体に支持され、
前記第１支持部材及び前記第２支持部材は、前記第１支持部材と前記第２支持部材の軸方向と直交する方向に間隔を空けて並べられる、
ことを特徴とする仮設床構造。
【請求項２】
請求項１に記載の仮設床構造において、
前記仮床板は複数用いられ、
前記仮床板は、略矩形状の板状部材であって、板厚方向に凹凸が形成され、
前記複数の仮床板は、前記仮床板の短辺方向と前記第１支持部材及び前記第２支持部材の軸方向とを一致させて、前記第１支持部材及び前記第２支持部材の上面に並べて配置され、
隣接する仮床板は、当該仮床板の長辺方向の端部が重なり、かつ重なった複数の仮床板の凹凸をかみ合わせて配置される、
ことを特徴とする仮設床構造。
【請求項３】
請求項１に記載の仮設床構造において、
前記建築躯体は、前記コンクリート床、又は当該コンクリート床を支持する床梁である、
ことを特徴とする仮設床構造。
【考案の詳細な説明】
【技術分野】
【０００１】
本考案は、仮設床構造に関し、特に建設中の建物の床面に形成される開口部を覆うために仮設置される床構造に関する。
【背景技術】
【０００２】
特許文献１には、昇降路に開口する最上階の出入口からその開口縁に取り付けたピアノ線吊下用位置決め治具を用いてエレベータの昇降路を形成するエレベータ設置方法が開示されている。
【先行技術文献】
【特許文献】
【０００３】
【特許文献１】特開２００４―０２６４２９号公報
【考案の概要】
【考案が解決しようとする課題】
【０００４】
建築物の上下階を移動するエレベータの昇降路を形成するために、各階の床に昇降路となる開口部を設ける必要がある。
【０００５】
従来、鉄筋コンクリート建築物では、各階のコンクリート床を全面に形成し、昇降路ユニットを設置して昇降路内を内装した後、コンクリート床の内、昇降路部分を開口させている。そのため、開口部を形成するために生じるコンクリート塊が建築用廃棄物として排出される。一方で昨今の環境問題への意識の高まりから、ＳＤＧｓ、ＥＳＧへの取り組みが建築現場でも要求されているという実情がある。
【０００６】
本考案は、上記実情に鑑みてなされたものであり、建築用廃棄物の排出量を減らすことができる仮設床構造を提供することである。
【課題を解決するための手段】
【０００７】
本考案の第１の観点は、仮設床構造であって、建築物のコンクリート床は、予め形成された開口部を備え、長尺部材からなる第１支持部材及び第２支持部材と、前記第１支持部材及び前記第２支持部材の上面に設置される仮床板と、を備え、前記第１支持部材及び前記第２支持部材の各第１端部は、前記開口部に面する第１建築躯体に支持され、前記第１支持部材及び前記第２支持部材の各第２端部は、前記第１建築躯体に対向する第２建築躯体に支持され、前記第１支持部材及び前記第２支持部材は、前記第１支持部材と前記第２支持部材の軸方向と直交する方向に間隔を空けて並べられる、ことを特徴とする。
【考案の効果】
【０００８】
本考案によれば、建築用廃棄物の排出量を減らすことができる仮設床構造を提供することができる。
【図面の簡単な説明】
【０００９】
【図１】本実施形態に係る仮設床構造の完成状態を示す説明図である。
【図２】仮床板の重なり部を拡大した説明図である。
【図３】支持部材の構造を示す説明図である。
【図４】仮設床構造の設置構造の一例（床梁に設置）を示す図である。
【図５】仮設床構造の設置構造の他例（床梁に一段下げて設置）を示す図である。
【図６】仮設床構造の設置構造の他例（コンクリート床に設置）を示す図である。
【図７】仮設床構造の設置構造の他例（床梁から持ち上げて設置）を示す図である。
【考案を実施するための形態】
【００１０】
以下、本考案の実施形態について図面を参照して説明する。全図を通じて同一の構成には同一の符号を付し、重複説明を省略する。
【００１１】
（全体構造）
図１は、本実施形態に係る仮設床構造１の完成状態を示す説明図である。
【００１２】
仮設床構造１は、建設途中の建築物のコンクリート床２に設けられた開口部３を覆って仮設置される床である。開口部３は、例えばコンクリート床２において将来的にエレベータを設置する箇所に設けられる。コンクリート床２における開口部３の周縁には、Ｈ型鋼からなる第１床梁４Ａ、第２床梁４Ｂが対向して配置されている。第１床梁４Ａ、第２床梁４Ｂ、コンクリート床２は、開口部３の周縁に配置される建物躯体に相当する。
【００１３】
以下の説明では、開口部３上面の水平面内における一方を幅方向、他方を奥行方向、幅方向及び奥行方向に直交する方向を高さ方向と称する。
【００１４】
よって、第１床梁４Ａ、第２床梁４Ｂは図１において奥行方向に沿って延伸している。
【００１５】
仮設床構造１は、複数の支持部材としての第１支持部材１０Ａ及び第２支持部材１０Ｂと、複数の仮床板としての第１仮床板２０Ａ、第２仮床板２０Ｂ、及び第３仮床板２０Ｃを含んで構成される。
【００１６】
第１支持部材１０Ａ及び第２支持部材１０Ｂは、奥行方向に間隔を空けて、第１床梁４Ａ、第２床梁４Ｂに支持される。
【００１７】
より具体的には、第１支持部材１０Ａ、第２支持部材１０Ｂの各第１端部は、第１床梁４Ａに、第１支持部材１０Ａ、第２支持部材１０Ｂの各第２端部は、第２床梁４Ｂにボルト締めなどにより着脱可能に固定される。
【００１８】
第１支持部材１０Ａ及び第２支持部材１０Ｂの上面には、第１仮床板２０Ａ、第２仮床板２０Ｂ、第３仮床板２０Ｃが、短辺方向を第１支持部材１０Ａ及び第２支持部材１０Ｂの軸方向と一致させて、幅方向に並べて配置される。
【００１９】
（仮床板）
図２は、仮床板の重なり部を拡大した説明図である。
【００２０】
第１仮床板２０Ａ、第２仮床板２０Ｂ、及び第３仮床板２０Ｃのそれぞれは、略矩形状の板状部材であって、板厚方向に凹凸が形成される。一例として凹凸形状の高さは２５ｍｍ、板厚は０．８ｍｍであるが、凹凸形状や板厚はこれらの値に限定されない。
【００２１】
また、隣接する仮床板は、当該仮床板の長辺方向の端部を重ねて配置される。具体的には第１仮床板２０Ａと第２仮床板２０Ｂ（図２参照）、第２仮床板２０Ｂと第３仮床板２０Ｃ（図２では図示を省略）は長辺側端部を重ねて配置される。
【００２２】
その際、開口部３の幅の広狭に合わせて、仮床板の重なり部２５の幅を調整する。
【００２３】
重なり部２５では、図２に示すように板厚方向（高さ方向）に重なった二つの仮床板の凹凸をかみ合わせることで、二つの仮床板の位置ずれを防止する。
【００２４】
（支持部材）
図３は、支持部材の構造を示す説明図である。
【００２５】
第１支持部材１０Ａ、第２支持部材１０Ｂ、第３支持部材１０Ｃは同一部材であるので、以下支持部材１０と記載し、その構造を説明する。
【００２６】
図３に示す支持部材は、角パイプからなる支持部１１と、支持部１１の下に連結される下側フレーム１２と、支持部１１及び下側フレーム１２の間に配置される連結部１３とを含む。
【００２７】
支持部１１は、角パイプ材により構成される。
【００２８】
下側フレーム１２及び連結部１３は、長尺の黒皮鉄材により構成される。
【００２９】
下側フレーム１２の軸方向の両端部は、支持部１１の下面に溶接される第１端１２１ａ、第２端１２１ｂを形成する。
【００３０】
また下側フレーム１２は、第１端１２１ａから下方に、かつ下側フレーム１２の軸方向中央に向かって傾斜する第１傾斜部１２２ａと、第２端１２１ｂから下方に、かつ下側フレーム１２の軸方向中央に向かって傾斜する第２傾斜部１２２ｂと、第１傾斜部１２２ａの下端及び第２傾斜部１２２ｂの下端を連結する水平部１２３とを備える。
【００３１】
連結部１３は、下側フレーム１２と支持部１１とに交互にスポット溶接される。図３において符号１３１は、連結部１３と支持部１１とのスポット溶接部を示し、符号１３２は、連結部１３と下側フレーム１２とのスポット溶接部を示す。
【００３２】
下側フレーム１２及び連結部１３により、支持部１１の撓みを防ぎ、支持部材１０上に配置される仮床板２０が傾くことを防ぐ。
【００３３】
（床梁に設置）
図４は、仮設床構造１の設置構造の一例を示す図である。
【００３４】
図４では、支持部材１０と第１床梁４Ａとの固定は、Ｌ字型固定金具３０及びボルト３１により着脱可能に固定する。
【００３５】
Ｌ字型固定金具３０の小片部側の端部は支持部１１の下面に溶接される。
【００３６】
Ｌ字型固定金具３０の大片部側と支持部１１の下面との間に第１床梁４Ａのフランジ４Ａｆを挿入する。
【００３７】
また、支持部１１の上面に仮床板２０を載置する。
【００３８】
そしてボルト３１を仮床板２０、支持部１１、及びＬ字型固定金具３０の大片部側の其々に設けられた穴に貫通させ、これらの部材を締結固定する。
【００３９】
支持部材１０と第２床梁４Ｂとの固定は、支持部１１と第２床梁４Ｂのフランジ４Ｂｆの外面（ウェブ４Ｂｗの反対側面）との間にＬ字型ずれ防止曲げＰＬ（ＰＬ：スプライスプレート）３５を介在させる。
【００４０】
また支持部１１と第２床梁４Ｂのフランジ４Ｂｆの内面（ウェブ４Ｂｗ側面）との間にＬ字型ずれ防止曲げＰＬ３６を介在させる。
【００４１】
そしてＣ字型吹上防止ＰＬ３７に、仮床板２０、支持部１１及びＬ字型ずれ防止曲げＰＬ３６を納め、ビス３８でＣ字型吹上防止ＰＬ３７を仮床板２０及び支持部１１に固定する。
【００４２】
上記設置例によれば、床梁に着脱可能に支持部材１０及び仮床材２０を固定することができるので、仮設床構造１を必要なときに設置し、不要になると容易に解体することができる。また他所への転用も可能であるので、資材全体量を低減できる。
【００４３】
また、従来、コンクリート床２を有する建築途中の建設物にエレベータを設置する場合、まずコンクリート床２のフロア全面に亘って形成し、昇降路ユニットの内装工事が終了してから、コンクリート床２の一部に開口部３を形成するため、コンクリート塊が建築用廃棄物として発生していた。
【００４４】
これに対し、上記仮設床構造を用いれば、予めコンクリート床２の一部にコンクリートを流さずに開口部３を形成しておき、仮設床構造１を設置して昇降路ユニットの内装工事が行える。そして、昇降路ユニットの内装工事が終了し、昇降路を形成する段階では仮設床構造１を撤去することができる。これにより従来よりも廃棄するコンクリート塊を減らすことができ、環境に配慮した建設工事が行える。
【００４５】
（床梁に一段下げて設置）
図５は、仮設床構造１の設置構造の他例を示す図である。
【００４６】
図５では、支持部材１０及び仮設床２０をコンクリート床２よりも下方に設置する。
【００４７】
具体的には、コンクリート床２を支える第１床梁４Ａ、第２床梁４Ｂのフランジ４Ａｆ、４Ｂｆの内面にＬ字型固定金具４０Ａ、４０Ｂの小片部の端部を溶接する。
【００４８】
一方、支持部１１の第１端１０ａには、Ｌ字型ずれ防止曲げＰＬ４１Ａの固定片を溶接する。Ｌ字型ずれ防止曲げＰＬ４１Ａにおける固定片と直交する開放片には、吹上防止捨てボルト４２Ａを締結しておく。
【００４９】
支持部１１の第２端１０ｂにも、Ｌ字型ずれ防止曲げＰＬ４１Ｂの固定片を溶接する。Ｌ字型ずれ防止曲げＰＬ４１Ｂの開放片には、吹上防止捨てボルト４２Ｂを締結しておく。
【００５０】
支持部材１０の長さは、開口部３の幅よりは長く、Ｌ字型固定金具４０ＡからＬ字型固定金具４０Ｂに届く長さに形成する。
【００５１】
そして支持部材１０の第１端１０ａに溶接されたＬ字型ずれ防止曲げＰＬ４１ＡをＬ字型固定金具４０Ａで、第２端１０ｂに溶接されたＬ字型ずれ防止曲げＰＬ４１ＢをＬ字型固定金具４０Ｂで支持する。
【００５２】
支持部材１０が吹き上がりそうになると、吹上防止捨てボルト４２Ａ、４２ＢがＬ字型固定金具４０Ａ、４０Ｂに接触して支持部材１０の上方向への動きを規制する。これにより、支持部材１０をＬ字型固定金具４０Ａ、４０Ｂに溶接しなくても、落下及び吹き上げを防止して支持部材１０を開口部３に設置することができる。そしてその上に仮床板２０を並べることで仮設床構造１を設置できる。
【００５３】
また仮設床構造１が不要になれば、仮床板２０を撤去し、更に支持部材１０をＬ字型固定金具４０Ａ、４０Ｂからずらして開口部３から引き揚げれば仮設床構造１を撤去することができる。
【００５４】
（コンクリート床に設置）
図６は、仮設床構造１の設置構造の他例を示す図である。
【００５５】
図６では、Ｌ字型固定金具４０Ａ、４０Ｂの其々をコンクリート床２にボルト４３Ａ、４３Ｂを用いて固定する。その他の固定は図５と同様なので重複説明を省略する。
【００５６】
本例によれば、第１床梁４Ａ、第２床梁４ＢへのＬ字型固定金具４０Ａ、４０Ｂの取付ができない場合には、コンクリート床２にＬ字型固定金具４０Ａ、４０Ｂを取り付けて仮設床構造１を設置することができる。
【００５７】
（床梁から持ち上げて設置）
図７は、仮設床構造１の設置構造の他例を示す図である。
【００５８】
図７では、支持部材１０を第１床梁４Ａ、第２床梁４Ｂよりも高い位置に設置する。
【００５９】
具体的には、図７（ａ）に示すように、第１床梁４Ａ、第２床梁４Ｂの其々に端部止め枠５０Ａ、５０Ｂを溶接し、端部止め枠５０Ａ、５０Ｂで支持部材１０及び仮床板２０を支持する。
【００６０】
端部止め枠５０Ａ、５０Ｂは同一の構成なので、両者を区別しない場合は端部止め枠５０と記載する。
【００６１】
端部止め枠５０は、図７（ｂ）、（ｃ）に示すように、ベース５１、立ち上げ部５２、及び上面５３を備える。
【００６２】
ベース５１は、平板からなり第１床梁４Ａ、第２床梁４Ｂの各フランジ４Ａｆ、４Ｂｆに当接する。
【００６３】
端部止め枠５０は、例えば鋼板を曲げ加工して形成される。
【００６４】
立ち上げ部５２は、ベース５１から垂直に立ちあがる平板部材である。
【００６５】
上面５３は、立ち上げ部５２の上端からベース５１とは反対方向に突出する平板である。
【００６６】
補強鉄筋部５４は、端部止め枠５０を補強する鉄筋部材である。補強鉄筋部５４は、一端部を立ち上げ部５２の高さ方向の半分よりも上側に溶接し、他端部をフランジ４Ａｆ又はフランジ４Ｂｆに溶接することで、立ち上げ部５２とフランジ４Ａｆ又はフランジ４Ｂｆとを連結して補強する。これにより、立ち上げ部５２の倒れを抑止する。
【００６７】
本例では、第１床梁４Ａのフランジ４Ａｆの外面に端部止め枠５０Ａのベース５１を溶接する。
【００６８】
同様に、第２床梁４Ｂのフランジ４Ｂｆの外面に端部止め枠５０Ｂのベース５１を溶接する。
【００６９】
端部止め枠５０Ａ、５０Ｂの各上面５３に支持部材１０、更にその上に仮床板２０を載置し、ビス５６Ａで仮床板２０、支持部材１０、及び端部止め枠５０Ａの上面５３を、ビス５６Ｂで仮床板２０、支持部材１０、及び端部止め枠５０Ｂの上面５３を固定する。
【００７０】
本例によれば、第1床梁４Ａ、第２床梁４Ｂよりも高い位置に仮床板２０を載置することができるので、例えば昇降路内の内装工事をする際に天井近くの工事も容易に行うことができる。
【符号の説明】
【００７１】
１          ：仮設床構造
２          ：コンクリート床
３          ：開口部
４Ａ        ：第１床梁
４Ａｆ      ：フランジ
４Ｂ        ：第２床梁
４Ｂｆ      ：フランジ
４Ｂｗ      ：ウェブ
１０        ：支持部材
１０Ａ      ：第１支持部材
１０Ｂ      ：第２支持部材
１０Ｃ      ：第３支持部材
１０ａ      ：第１端
１０ｂ      ：第２端
１１        ：支持部
１２        ：下側フレーム
１３        ：連結部
２０        ：仮床板
２０Ａ      ：第１仮床板
２０Ｂ      ：第２仮床板
２０Ｃ      ：第３仮床板
２５        ：重なり部
３０        ：Ｌ字型固定金具
３１        ：ボルト
３６        ：Ｌ字型ずれ防止曲げＰＬ
３７        ：Ｃ字型吹上防止ＰＬ
３８        ：ビス
４０Ａ      ：Ｌ字型固定金具
４０Ｂ      ：Ｌ字型固定金具
４１Ａ      ：Ｌ字型ずれ防止曲げＰＬ
４１Ｂ      ：Ｌ字型ずれ防止曲げＰＬ
４２Ａ      ：吹上防止捨てボルト
４２Ｂ      ：吹上防止捨てボルト
４３Ａ      ：ボルト
４３Ｂ      ：ボルト
５０        ：端部止め枠
５０Ａ      ：端部止め枠
５０Ｂ      ：端部止め枠
５１        ：ベース
５２        ：立ち上げ部
５３        ：上面
５４        ：補強鉄筋部
５６Ａ      ：ビス
５６Ｂ      ：ビス
１２１ａ    ：第１端
１２１ｂ    ：第２端
１２２ａ    ：第１傾斜部
１２２ｂ    ：第２傾斜部
１２３      ：水平部
１３１      ：スポット溶接部
１３２      ：スポット溶接部
【図１】
0003235466.tif 000003
【図２】
0003235466.tif 000004
【図３】
0003235466.tif 000005
【図４】
0003235466.tif 000006
【図５】
0003235466.tif 000007
【図６】
0003235466.tif 000008
【図７】
0003235466.tif 000009